Podtech/llm-jp-corpus-v4-ja_patent huggingface dataset:
(57)【要約】【課題】従来のラーメン、そば、うどん等の麺類を盛りつけたどんぶりついては、円形状になっていたことから、子供や比較的手の小さい女性、手が不自由な人は、両手でどんぶりを持つ際に持ちにくかった。  また、両手でどんぶりを持ってスープを飲むときにも、子供や女性は口が小さいため、口の両脇からスープをこぼしてしまうことがあった。  更には、食堂等に行った時、どんぶりの盛りつけの正面の方向が分かりづらいせいか、店員が客の前にどんぶりを置いてから、どんぶりを回して客に盛り付けた正面の方向を向けることがあった。【解決手段】子供や比較的手の小さい女性、手が不自由な人でも、どんぶりを持ちやすくするため、また、両手でどんぶりを持った際にスープを飲みやすくするため、および、盛り付けの正面の方向が分かりやすくするために、どんぶりをハート型にする。【選択図】図１
2012040324.tif 000002
【特許請求の範囲】
【請求項１】
ハート型のどんぶり。
【発明の詳細な説明】
【技術分野】
【０００１】  本発明は、ラーメン、そば、うどんなど、麺類を盛るどんぶりに関するものである。
【背景技術】
【０００２】  従来の麺類を盛るどんぶりについては、円形状のものを使用していた。
なお、用途は異なるが、類似の読みで「ハート型食品容器」、「突起つきどんぶり」などがある。（特許文献１，２参照）
【先行技術文献】
【特許文献】
【０００３】
【特許文献１】  登録実用新案第３０５４４５６号
【特許文献２】  特許公開平０９−２０１２６６
【発明の概要】
【発明が解決しようとする課題】
【０００４】  従来のラーメン、そば、うどん等の麺類を盛りつけたどんぶりついては、円形状になっていたことから、子供や比較的手の小さい女性、手が不自由な人は、両手でどんぶりを持つ際に持ちにくかった。
また、両手でどんぶりを持ってスープを飲むときにも、子供や女性は口が小さいため、口の両脇からスープをこぼしてしまうことがあった。
更には、食堂等に行った時、どんぶりの盛りつけの正面の方向が分かりづらいせいか、店員が客の前にどんぶりを置いてから、どんぶりを回して客に盛り付けた正面の方向を向けることがあった。
【課題を解決するための手段】
【０００５】  子供や比較的手の小さい女性、手が不自由な人でも、どんぶりを持ちやすくするため、また、両手でどんぶりを持った際にスープを飲みやすくするため、および、盛り付けの正面の方向が分かりやすくするために、どんぶりをハート型にする。
【発明の効果】
【０００６】  従来は麺類のどんぶりは円形状であったため持ちにくく、また、スープを飲む際に口の両脇からスープをこぼしてしまうことがあった。
どんぶりをハート型にすることにより、どんぶりを持った際に両手を添えた両手の指がハート型の上側の２つの丸い部分と接することとなり、どんぶりが持ちやすくなる。
飲み口はハート型の下側の鋭角状の部分となることで、スープを飲む際に飲みやすくなる。
また、盛り付けた正面が分かりやすくなることにより、客の前に正確に早くどんぶりを置くことができる。
どんぶりが持ちやすく、スープが飲みやすくなるだけでなく、ハート型にしたことにより心が癒される。
【図面の簡単な説明】
【０００７】
【図１】本発明の斜視図
【図２】各部の名称説明のどんぶり縦断面図
【発明を実施するための形態】
【０００８】  以下、本発明を実施するための形態について、図面に基づいて説明する。
どんぶりはハート型の形状とする。
また、どんぶりを重ねやすいように、どんぶりの口造り１、胴２、腰３、高台４の横断面形状は、全てハート型にする。（図１，２）
【符号の説明】
【０００９】    １  口造り
２  胴
３  腰
４  高台
【図１】
2012040324.tif 000003
【図２】
2012040324.tif 000004
(57)【要約】【課題】本発明は、従来のバイトブロックでは全身麻酔等で意識を失った人体に対する医療施術中に舌部の固定が十分できなかったという問題を解決しようとするものであり、バイトブロックの本来持つ気道確保という効果が十分に得られるよう、舌部を固定する形状を提供することを課題とする。【解決手段】バイトブロックを人体の口腔内に装着し、気道を確保するため、バイトブロック先端部（口腔挿入部分）を延長し、延長されたバイトブロック先端部は人体の舌を固定するため、湾曲した形状とし、延長されたバイトブロック先端部の長さは、１センチメートルから３センチメートルとし、延長されたバイトブロックの先端部の湾曲した角度は、１０度から２０度とする。【特許請求の範囲】
【請求項１】
先端部分を延長したバイトブロック。
【請求項２】
先端部分の形状を湾曲させた請求項１記載のバイトブロック。
【請求項３】
先端部分を１センチメートルから３センチメートル延長した請求項２記載のバイトブロック。
【請求項４】
先端部分を１０度から２０度の角度で湾曲させた請求項３記載のバイトブロック。
【発明の詳細な説明】
【技術分野】
【０００１】本発明は、人体の気道の確保をするための医療用器具に関する。
【背景技術】
【０００２】従来のバイドブロック（全身麻酔時または重症呼吸不全に対して経口気管挿管による人工呼吸を施行する際、気管チューブが噛まれて閉塞しないようにする目的で副えられる医療器具）は、気管内チューブの固定及びバイトブロックの固定に手間がかかり、またサージカルテープで固定した後も気管内チューブがずれることがあり、製品利用に関する利便性を欠く結果とならざるを得なかった。【０００３】先行技術においては、バイトブロックが舌部を固定する効果が得られるような形状になく、その為、意識を失った患者にバイトブロックを装着する際、また固定後も弛緩した舌が気道を塞いでしまうといった危険性があった（特許文献１乃至４参照）。
【先行技術文献】
【特許文献】
【０００４】
【特許文献１】特許公開２００３−３３９８７０
【特許文献２】特許公開２００１−１９０６７５
【特許文献３】特許公開平８−４７５３５
【特許文献４】特許公開平１０−２４０４３
【発明の概要】
【発明が解決しようとする課題】
【０００５】本発明は、従来のバイトブロックでは施術中に舌部の固定が十分できなかったという問題を解決しようとするものであり、バイトブロックの本来持つ気道確保という効果が十分に得られるよう、舌部を固定する形状とすることを目的とするものである。
【課題を解決するための手段】
【０００６】バイトブロックを人体の口腔内に装着し、気道を確保するため、バイトブロック先端部（口腔挿入部分）を延長したこと。【０００７】延長されたバイトブロック先端部は人体の舌を固定するため、湾曲した形状としたこと。【０００８】延長されたバイトブロック先端部の長さは、１センチメートルから３センチメートルとしたこと。【０００９】延長されたバイトブロックの先端部の湾曲した角度は、１０度から２０度としたこと。
【発明の効果】
【００１０】以上のように、この発明によれば、意識を失った患者の口腔内にバイトブロックを装着した場合、先端部分が延長され湾曲した形状であるため、舌部を当該先端部位が抑えることができ、以て気道の確保が容易となる効果がある。
【発明を実施するための形態】
【００１１】この発明の好ましい実施形態として、舌部を口腔内で固定するためバイトブロック先端部分を１センチメートルから３センチメートル延長し、更に当該延長部位を人体の口腔内の形状に合わせられるよう、１０度から２０度の角度で湾曲させる形状とする。
【産業上の利用可能性】
【００１２】この発明により、意識を失った人体の気道確保が従前に比べて容易になり、施術中の医療事故の防止効果が得られるようになり、以て産業上の利用性がある。
(57)【要約】【課題】骨子を利用しない超薄型硬質プラスチックの、型取りうちわを形成し、正面には、遮断熱材を貼付し、柄と正面下部に弾力性補助柄を設け、半自動的に扇げるようにした遮断熱材利用の涼風うちわを提供する。【解決手段】超薄型硬質プラスチックを、うちわ形状に型取られた、うちわ本体を設け、前記うちわ本体の正面下部と柄に、厚手プラスチック形状の弾力性補助柄二枚を両面テープにて固着するように設け、上記うちわ形状の正面に遮断熱材を貼付し、冷風に近い涼風を起すことを特徴とする遮断熱材利用の涼風うちわ。【選択図】図１
2012040321.tif 000002
【特許請求の範囲】
【請求項１】
超薄型硬質プラスチックを、うちわ形状に型取られた、うちわ本体を設け、前記うちわ本体の正面下部と柄に、厚手プラスチック形状二枚合わせの弾力性補助柄を両面テープで固着するように設け、上記うちわ形状の正面に遮断熱材を貼付し、冷風に近い涼風を起すことを特徴とする遮断熱材利用の涼風うちわ。
【発明の詳細な説明】
【技術分野】
【０００１】  本発明は、骨子を利用しない、超薄形硬質プラスチックの型取りうちわを形成し、正面には、遮断熱材を貼付し、柄と正面下部に弾力性補助柄を設け、半自動的に扇げるようにした、遮断熱材利用の涼風うちわに関するものである。
【背景技術】
【０００２】  従来、板状骨子うちわを使用したときは、高温に対し長時間力を入れながら扇いでいた。
板状骨子面に貼付してなる、紙、又は、合成繊維等が使用されている。
また、うちわ面の下部を、両挟みにした柄の構成になっている。
【発明の開示】
【発明が解決しようとする課題】
【０００３】そのために、次のような問題点があった。
（イ）暑さを凌ぐために、うちわを使用した場合、手動作用を要するために手首や腕が疲れたりして、長時間の風起こしには限界に達していた。
炎天下における野球見物も途中で疲れる状態に陥っていた。
（ロ）板状骨子面に貼付された物には、上述の種類があるが、それぞれの異なる点は、身体に受ける感触により解明できると思いますが、従来うちわの構成では、品種改良の効果はなく断念せざるを得なかった。
本発明は、以上の問題点を解決するためになされたものである。
【課題を解決するための手段】
【０００４】  本発明は、超薄型硬質プラスチックをうちは形状に型取られた、うちわ本体を設け、前記うちわは本体の正面下部と柄に、厚手プラスチック形状二枚合わせの弾力性補助柄を両面テープで固着するように設け、冷風に近い風起しをするようにしたことを特徴とする遮断熱材利用の涼風うちわである。
【発明の効果】
【０００５】  本発明は、手首と腕に力を入れることなく緩やかに扇ぐように、柄を正面下部に設けた、半弾力性と遮断熱材が風を起し、使用者の方へ冷風に近い涼風を送風することができ、長時間使用による疲れもなく、エアコン同様に風が流れるような涼風うちわを提供できる。
【図面の簡単な説明】
【０００６】
【図１】本発明の斜視図
【図２】本発明の型取り背面図
【図３】従来うちわの使用状態を示す説明側面図。
【図４】本発明の使用状態を示す対照側面図である。
【発明を実施するための形態】
【０００７】  以下、本発明の実施するための形態
（イ）超薄手厚さ（０．３５ｍｍ）からなる、硬質プラスチックを利用した、材質をうちわ正面（１）と背面（１ａ）も型取りされている。
（ロ）上記プラスチックの正面（１）に建設材の超薄手からなる遮断熱材（４）を貼付するようにして設けられている。
（ハ）うちわ正面（１）の下部と柄（１ｂ）の上面に、同一寸法の厚手プラスチック二枚合わせの弾力性補助柄（３）が固着されている。
（二）従来うちわ正面（Ａ）と背面（Ｂ）の両面を挟むように、柄（Ｃ）が接続されている。
本発明は、以上の構成よりなっている。
以下上記の動作を説明する。うちわ柄を扇ぐ手に持ち親指先で柄を押さえながら軽く扇ぐことにより、柄の弾力性により半自動的に、使用者の方に大きく湾曲形成になり、遮断熱材（４）により冷風に近い涼風を起し、涼風が流れるように肌に送風する効果を発揮することができる。
また、従来うちわの構成は、正面（Ａ）と背面（Ｂ）を前後同一の角度に扇ぐ動作は、柄（Ｃ）の両挟みによる、ブレーキが送風動作を半減していたのである。
【符号の説明】
【０００８】  １    型取り正面
１ａ  型取り背面
１ｂ  型取り柄
２    角度
３    補助柄
４    遮断熱材
Ａ    正面
Ｂ    背面
Ｃ    角度
Ｄ    両挟みの柄
【図１】
2012040321.tif 000003
【図２】
2012040321.tif 000004
【図３】
2012040321.tif 000005
【図４】
2012040321.tif 000006
(57)【要約】      （修正有）【課題】長時間に渡って練習を行なっても、手や腕を痛めることなく、また、思いきってラケットを振り上げたときに、顔や頭を棒状の柄で傷つけにくい卓球用ラケットを提供する。【解決手段】ラケットの中心線４上に人差し指、中指、薬指、小指の四指が一度に入るのに充分な開口部１を設け、開口部１の上部にカーブを設け、上縁部３を柄として使用する。【選択図】図１
2012040322.tif 000002
【特許請求の範囲】
【請求項１】
ラケットの中心線上に柄を形成するために、人差し指、中指、薬指、小指の四指が一度に入る開口部を設け、前記開口部の上部に適宜カーブを設けたことを特徴とするラケット。
【発明の詳細な説明】
【技術分野】
【０００１】  本発明は、卓球ラケットに関するものである。
【背景技術】
【０００２】  従来、棒状の柄を持つ卓球ラケットは、握り方が、人それぞれ違い、浅く持ったり、深く持ったりして、握り方によっては、技術を習得するときに障害になることもあった。また、四孔式卓球ラケットは、手の大きさが異なったときに、非常に使いづらかった。（実用新案文献１参照）。
【先行技術文献】
【０００３】
【実用新案文献１】
実開２００７−１３９５号広報
【発明の概要】
【発明が解決しようとする課題】
【０００４】  従来、棒状の柄を持つ卓球ラケットは、握り方が、人それぞれ違うため、長時間、長期間、練習を行なうと手や腕などを痛めることがあった。時には、思いきってラケットを振り上げたときに、顔や頭を棒状の柄で傷つけることがあった。また、四孔式卓球ラケットは、手の大きさが異なったときに、非常に使いづらかった。
【課題を解決するための手段】
【０００５】  本発明は、ラケットの中心線上に人差し指、中指、薬指、小指の四指が一度に入るのに充分な開口部を設け、前記開口部の上縁部にカーブを設け、前記上縁部を柄として使用することである。
【発明の効果】
【０００６】  本発明によれば、開口部１に人差し指、中指、薬指、小指等の四指を挿入し、縁部２に先の四指を掛けて柄３を握ることにより、従来の棒状の柄に比べて、握りやすくなるため、ラケットを保持する手に掛かる負担は著しく軽減し、長時間、長期間、練習を行なっても手や腕を痛めることがなくなった。【０００７】  更に、棒状の柄がラケットから突き出していたために、柄を顔にぶつけて怪我をすることはなくなった。【０００８】  又、本発明のラケットを握った場合、腕や手首から真っ直ぐ伸びたところにラケットがあるため、手首の機能を充分に発揮させ、守備範囲も広がる他、技術の向上に役立つ等、大きな効果が得られる。
【図面の簡単な説明】
【０００９】
【図１】本発明のラケットを示す正面図である。
【図２】本発明のラケットを示す斜視図である。
【発明を実施するための形態】
【００１０】  以下、本発明を実施するための形態を図面に基づいて説明すると、（図１、図２）木又は合成樹脂又は金属等有る程度の硬度を有する平坦な素材を用いて、任意の形状のラケット（Ａ）を形成（図１では略円形）し、例えば縦方向のラケットの中心線（４）の上の部分に開口部（１）を設ける。
【００１１】  この時、開口部（１）は、人差し指、中指、薬指、小指等の四指を挿入するのに充分な大きさが良く、開口部（１）の縁部（２）に適宜なカーブを設けると良く、このカーブは、ラケット（Ａ）の上縁部とカーブを四指で握る柄（３）とした場合において、掌と指の長さの関係において、容易に且つ確実に柄（３）を握る事ができ、しかも、手首の機能を充分に発揮できる形状にしてある。
【００１２】  言い換えれば、掌から指の第二間接までの距離が最も長い中指の位置が柄（３）の部分において最も広く形成され、開口部（１）の端部に行くに従って柄（３）の距離が短く成るように形成されている。
【００１３】  本発明は、以上のような構造であるから、これを使用するには、人差し指、中指、薬指、小指の四指を開口部（１）に挿入し、開口部の縁部（３）を柄として握ることにより、ラケット（Ａ）としての機能が充分に発揮できる。
【符号の説明】１  開口部
２  縁部
３  柄
４  ラケットの中心線
５  ラバー
Ａ  ラケット
【図１】
2012040322.tif 000003
【図２】
2012040322.tif 000004
(57)【要約】      （修正有）【課題】しゃもじの掬い部分への米粒の付着を防止して、洗浄を容易に行えるしゃもじを提供する。【解決手段】しゃもじの掬取部１０１に縦長の溝を配設して、炊いた米粒の付着を防止しながら、すくうことができるしゃもじであって、ご飯粒の形状はジャポニカ米が標準であって、配設した溝間が１．８ｍｍ以下であり、溝の深度も１．５ｍｍ以下であることが望ましい。さらに山波の起伏間隔は２．５ｍｍ以下が望ましい。また炊飯器によってはおかゆも作れることから、しゃもじが溝状の形状を有していて、糊状になった米粒を容易に洗い流すことができる。【選択図】図１
2012040370.tif 000002
【特許請求の範囲】
【請求項１】
把手部とご飯をすくう掬取部を有し、掬取部の表面と裏面に縞状の溝を有して、把手部の下部から掬手部にかけて、溝が交互に山波形状を有しているしゃもじ。
【発明の詳細な説明】
【技術分野】
【０００１】
本発明は、米炊飯器等に常備する日用品のしゃもじに関する。
【発明の概要】
【発明が解決しようとする課題】
【０００２】
従来、円状の突起物を有するしゃもじは、ご飯を掬うたびに米粒がつぶれて、しゃもじの先端および掬取部にこびりついて、ほかの米粒を採りつけていた。また、突起物の谷間につぶれた米粒や糊状の薄膜が付着しやすく、不衛生でもある。そのしゃもじを洗う場合、スポンジの繊維や海面が掬取部の突起物にあたって、米粒を除去するまでにはならないし、たとえ突起物が千鳥状や縦横に配設されていても、しゃもじをスポンジで洗い流す場合は、擦るため、スポンジが引っかかり、容易に米粒を除去できない。
【発明の効果】
【０００３】
炊いた米粒を、本願の発明品の溝に埋没しない程度の間隔で隔たれた形状を掬取部に有するしゃもじでは、容易にこびりついた米粒を取り除くことができ、洗う場合においては溝が直線をなして配設しているため、直線状の溝に沿って洗浄すれば、スポンジがひっかかるようなことはない。
【図面の簡単な説明】
【０００４】
【図１】しゃもじの正面図であり、縦列に溝が配設されている。
【図２】しゃもじの側面図であり、山波形状の溝が交互に配設されている。
【先行技術文献】
【特許文献】
【０００５】
特願２０００−１７７９４９  しゃもじ
【実施例】
【０００６】
本発明は、介護ホームでの食事の提供、学校給食でご飯を掬うしゃもじに関するものである。
【符号の説明】
【０００７】
１００  しゃもじの把手部
１０１  しゃもじの掬取部
１０３  しゃもじの掬取部の断面図
【図１】
2012040370.tif 000003
【図２】
2012040370.tif 000004
【手続補正書】
【提出日】平成23年9月12日(2011.9.12)
【手続補正１】
【補正対象書類名】特許請求の範囲
【補正対象項目名】全文
【補正方法】変更
【補正の内容】
【特許請求の範囲】
【請求項１】
把手部とご飯をすくう掬取部を有し、掬取部の表面と裏面に一直線状の縞状の溝を有して、溝によって構成されうる凸部分は、把手部の下部から掬取部の先端にかけて山波形状を有していて、隣り合う凸の山波は交互に位相差を有しているしゃもじ。
【手続補正２】
【補正対象書類名】明細書
【補正対象項目名】全文
【補正方法】変更
【補正の内容】
【発明の詳細な説明】
【技術分野】
【０００１】
本発明は、米炊飯器等に常備する日用品のしゃもじに関する。
【発明の概要】
【発明が解決しようとする課題】
【０００２】
従来、円状の突起物を有するしゃもじは、ご飯を掬うたびに米粒がつぶれて、しゃもじの先端および掬取部にこびりついて、ほかの米粒を採りつけていた。また、突起物の谷間につぶれた米粒や糊状の薄膜が付着しやすく、不衛生でもある。そのしゃもじを洗う場合、スポンジの繊維や海面が掬取部の突起物にあたって、米粒を除去するまでにはならないし、たとえ突起物が千鳥状や縦横に配設されていても、しゃもじをスポンジで洗い流す場合は、擦るため、スポンジが引っかかり、容易に米粒を除去できない。
【課題を解決するための手段】
【０００３】
突起物をなくして、山波形状の凸をつくり、隣り合う凸の山波形状に位相差をもたせて、ご飯を掬う際に、米粒を付着しにくくする。また、しゃもじの洗浄を容易にしやすくする。
【発明の効果】
【０００４】
炊いた米粒を、本願の発明品の溝に埋没しない程度の間隔で隔たれた形状を掬取部に有するしゃもじでは、容易にこびりついた米粒を取り除くことができ、洗う場合においては溝が直線をなして配設しているため、直線状の溝に沿って洗浄すれば、スポンジがひっかかるようなことはない。
【図面の簡単な説明】
【０００５】
【図１】しゃもじの正面図であり、縦列に溝が配設されている。
【図２】しゃもじの側面図であり、山波形状の溝が交互に配設されている。
【先行技術文献】
【特許文献】
【０００６】
特願２０００−１７７９４９  しゃもじ
【発明の実施の形態】
【０００７】
炊飯器のご飯を掬う際に用いるしゃもじ。あるいはおひつからご飯を掬う際のしゃもじに関する。
【実施例】
【０００８】
本発明は、介護ホームでの食事の提供、学校給食でご飯を掬うしゃもじに関するものである。
【符号の説明】
【０００９】
１００  しゃもじの把手部
１０１  しゃもじの掬取部
１０３  しゃもじの掬取部の断面図
(57)【要約】      （修正有）【課題】耳部の負担や頬の違和感を軽減し、マスクの脱着を簡便にするとともに、装着時の見かけを改善するマスクの装着方法および器具を提供する。【解決手段】１本のゴム紐状の両端に引っ掛け用部品を付加するか、または両端を引っ掛け可能な構造に成形して、この引っ掛け部分を耳部に装着することで、輪状の部分が不要にする。スチレン系エラストマーなど硬度０乃至４の柔軟性と適度の吸着性を有する素材を用いて、これをゴム紐状に成形した両端に引っ掛け部分を成形し、ゴム紐の中心部分にマスク本体を固定するための固定面を作る事で、１本のゴム紐でのマスク装着を可能にする。【選択図】図１
2012040336.tif 000002
【特許請求の範囲】
【請求項１】
柔軟性と適度の吸着性を有する素材を１本のゴム紐状に成形し、ゴム紐状の両端を耳部に引っ掛け可能な構造に成形することで輪状の耳掛け部品が不要となるマスクの装着方法および器具。
【請求項２】
１本のゴム紐状の両端に両耳に引っ掛け可能な構造の部品を付加することで輪状の耳掛け部品が不要となるマスクの装着方法および器具。
【発明の詳細な説明】
【技術分野】
【０００１】  本発明は、１本のゴムまたは紐の両端に引っ掛け用部品を付加するか、または両端を引っ掛け可能な構造に成形して、この引っ掛け部分を耳部に装着することで、輪状の部分が不要なマスクの装着方法および器具に関する。
【背景技術】
【０００２】  従来のマスクの装着方法は、ゴムや紐などを輪状にしてマスクに付けるか、またはマスク本体に輪状耳掛け部分を一体成形する方法しかなかった。
【発明の概要】
【発明が解決しようとする課題】
【０００３】  従来のマスク装着方法では、耳に掛ける輪状部分を必要とすることから、装着時に耳の後部に痛みなどの負担があったり、輪状の紐やゴムなどが頬に触れる部分が４本になることから、頬に違和感を感じたり、見かけが大袈裟になったりする問題を解決できなかった。
【課題を解決するための手段】
【０００４】  本発明は、１本のゴムまたは紐の両端に引っ掛け用部品を付加するか、または両端を引っ掛け可能な構造に成形して、この引っ掛け部分を耳部に装着することで、輪状の部分が不要なマスクの装着方法および器具を提供する。【０００５】  この発明では、スチレン系エラストマーなど硬度０乃至４の柔軟性と適度の吸着性を有する素材を用いて、これをゴム紐状に成形した両端に引っ掛け部分を成形し、ゴム紐状の中心部分にマスク本体を固定するための固定面を作る事で、１本のゴム紐状の部品でのマスク装着を可能にする。
【発明の効果】
【０００６】  本発明では１本のゴムまたは紐状の部品でのマスク装着を可能にすることにより、マスクの脱着を簡便にするとともに装着時の見かけを改善する。【０００７】  また、柔軟性を有する素材を用いることで耳部の負担やほほの違和感を軽減する。
【発明を実施するための形態】
【０００８】  本発明を実施するに当たっては、硬度０乃至２程度のスチレン系エラストマーなどを上記説明および図１に表した形状に成形する。
【図面の簡単な説明】
【０００９】
【図１】本発明に係るマスク装着器具の平面図
【図１】
2012040336.tif 000003
(57)【要約】      （修正有）【課題】従来の補助人工心臓では、循環血液が器械部分と接触するため、赤血球の破砕や血栓が生じやすく、抗血栓薬の長期投与が必要であり、様々な合併症も発生しやすかった。【解決手段】電力によって駆動されるポンプの力を、心臓１の外側から心室に伝えることによって、心臓の駆出力を増強する。これにより心臓や大血管系への侵襲を避け、また器械が循環血液と接触することを避ける。具体的には中空嚢状のインターフェイスによって心臓を覆い、収縮期にインターフェイスの内圧を上げて心臓の収縮を補助する。拡張期には内圧を下げる。内圧の変化は、外側膜３の一部に設けた中空のチューブを経由して、駆動ポンプにより内容物を送脱することにより行う。【選択図】図１
2012040335.tif 000002
【特許請求の範囲】
【請求項１】
端で結合した「内側膜」と「外側膜」による二重膜が、全体として中空の嚢の形態をとり、「内側膜」と「外側膜」の間のスペースに液体あるいは気体を含有し、外側膜に中空管が接続してある「人工心臓インターフェイス」。
【発明の詳細な説明】
【技術分野】
【０００１】医学、人工心臓
【背景技術】
【０００２】心疾患はわが国では死因の第２位、米国では第１位と多い。心不全が進行すると、内科的治療では対処できなくり、心移植が究極の選択肢となる。しかし、ドナー数が圧倒的に少ない現状から、米国でもわが国でも、主に心移植までのつなぎとして、「体内埋め込み型の補助人工心臓」が適用されるケースが増えつつある。この装置は、左室に挿入した脱血管から、血液を血液ポンプに導き、送血グラフトを経て上行大動脈に送るのが基本である。どの補助人工心臓でも、循環血液が器械部分と接触するため、赤血球の破砕や血栓が生じやすく、抗血栓薬の長期投与が必要であり、様々な合併症も発生しやすい。このため生存期間は多くの場合数ヶ月、長くても１年位と限定されている。
【発明の開示】
【発明が解決しようとする課題】
【０００３】本発明は「血液と接触することなく心臓の拍出機能を補助する人工心臓」を開発し、合併症の発生を防ぎ、生存率を向上させようとするものである。
【課題を解決するための手段】
【０００４】「電力によって駆動されるポンプの力を、心臓の外側から心室に伝える」ことによって、心臓の駆出力を増強する。これにより心臓や大血管系への侵襲を避け、また器械が循環血液と接触することを避けることができる。【０００５】本発明は「心臓を覆う部分」に関する。本発明の人工心臓は、さらにポンプ、ポンプと駆動装置をつなぐケーブル、および駆動装置の存在を前提としているが、これらはいずれも体内埋込式補助人工心臓や大動脈内バルーン・パンピングなどの既存の技術に含まれる。
【発明の効果】
【０００６】本発明の人工心臓を体内に埋込む際に、心臓や大血管系を切開する必要はない。このため心循環系に対する負担が少ない。また術後に抗凝固薬の長期投与も不要なので、生命予後の改善が期待できる。１台で左心室と右心室の両方の機能を増強できるので、両心不全の発生予防や治療に有用と考えられる。さらに心機能の不可逆化防止効果も期待できる。１０年、１５年といった長期の使用も可能と思われる。なお両心不全に対しては、従来の補助人工心臓では２台の取付けが必要であった。
【発明を実施するための最良の形態】
【０００７】「心臓を覆う部分」は中空嚢状のインターフェイスとする。中空部分に心臓を留置する。インターフェイスの心臓側には伸縮性の膜を用い、外側には低伸縮性の膜を用いる。嚢の内部に内容物（液体、気体、あるいは他の可塑性物）を充満させる。外側膜の一部に設けた中空のチューブを経由して、駆動ポンプにより内容物を送脱する。【０００８】心臓の収縮期と同期して、嚢の内容物の量を増加させる。すると心臓外側から圧が加わるので、心臓の収縮が増強する。心臓の拡張期には、嚢の内容物の量を減少させ、インターフェイスの内圧を低下させる。健常成人の一回心拍出量は約７０ｍｌなので、このように送脱する内容量は７０ｍｌ以下である。【０００９】心臓の心尖部近傍での「心臓側の膜の伸縮性」を高くしておけば、心尖部に近い部分の心収縮がより増強されるので、自然の血行動態に近い収縮補助ができる。
【図面の簡単な説明】
【００１０】
【図１】本発明における「中空嚢状のインターフェイス」と心臓の関係を示す概略図である。
【符号の説明】
【００１１】  １  心臓
２  内側膜
３  外側膜
４  液体、または気体
５  中空のチューブ
【図１】
2012040335.tif 000003
(57)【要約】      （修正有）【課題】長時間車を運転しても比較的疲れを和らげてくれ、快適にドライブできるように、お尻の沈みこむ部分を補う座布団に、背筋を伸ばす効果のある背当てをマジックテープ（登録商標）又は、紐状のもの等で結合した座布団と背当てが取外し自由な背もたれ付ラク座布団を提供する。【解決手段】お尻の沈みこむ部分を補うためお尻の乗るのに適した巾、厚みのあまり沈みこまない、やわらかい綿のタオルを重ねた様な素材で座布団２を作り、その先端にテーパー10を付け、下面にスベリ止め3を付ける、次に、背筋を伸ばす効果のある背当て4を薄く柔らかい座布団2と同様な素材で作り、背当て4の裏側には、やわらかめのスポンジ5を取り付ける、この座布団2と背当て4はマジックテープ（登録商標）又は、紐状のもの6等で取外し自由にした背当て付ラク座布団。【選択図】図１
2012040332.tif 000002
【特許請求の範囲】
【請求項１】
長時間運転しても比較的疲れを和らげるため、お尻の沈みこむ部分を補うためお尻の部分が乗るのに適した巾４００ｍｍ〜４５０ｍｍ程度、奥行き３００ｍｍ〜３２０ｍｍ程度、厚み１５ｍｍ〜２０ｍｍ程度のあまり沈みこまない、やわらかい綿のタオルを重ねた様な素材で座布団を作り、その先端にテーパーを付け、下面にスベリ止めを付け、次に背筋を伸ばす効果のある、高さ３６０ｍｍ程度の背当てを薄く柔らかい座布団と同様な素材で作り、背当ての裏側には、座布団から１８０ｍｍ程度の高さの位置に、広さ１８０ｍｍ程度、厚み７ｍｍ〜１０ｍｍ程度のやわらかめのスポンジを取付け、この座布団と背当てはマジックテープ（登録商標）又は紐状のもの等で取付け自由にし、背当て付ラク座布団を車のシートに固定するための取付け紐を座布団後部と背当ての上端に各々左右対に取付けたことを特徴とする背当て付ラク座布団。
【発明の詳細な説明】
【技術分野】
【０００１】この発明は、長時間車を運転しても疲れにくくするための背当て付ラク座布団に関するものです。
【背景技術】
【０００２】車を長時間運転すると、腰や背中にかなり負担がかかり、大変疲れる。
【先行技術文献】
【０００３】
【特許文献１】  特開２００８−２８４３２１号公報
【発明の概要】
【発明が解決しようとする課題】
【０００４】  車のシートに座り込むと、お尻の部分や背中の部分が沈みこみ長時間運転すると、腰や背中にかなり負担がかかり大変疲れる。本発明は、以上のような欠点を解消する為のものである。
【課題を解決するための手段】
【０００５】  お尻の部分が乗るのに適した巾４００ｍｍ〜４５０ｍｍ程度、奥行き３００ｍｍ〜３２０ｍｍ程度、厚み１５ｍｍ〜２０ｍｍ程度のあまり沈みこまない、やわらかい綿のタオルを重ねた様な素材で座布団を作り、その先端にテーパーを付け、下面にスベリ止めを付ける。次に座布団の巾に合わせ、高さ３６０ｍｍ程度の背当てを薄く柔らかい座布団と同様な素材で作り、背当ての裏側には、座布団から１８０ｍｍ程度の高さの位置に、広さ１８０ｍｍ程度、厚み７ｍｍ〜１０ｍｍ程度のやわらかめのスポンジを取り付ける。この座布団と背当ては、マジックテープ（登録商標）又は紐状のもの等で取外し自由にする。背当て付ラク座布団を車のシートに固定するための取付け紐を座布団後部と背当ての上端に各々左右対に取付ける。
ここで座布団はあまり硬い素材だと腰に負担がかかる。また、背当てはあまり厚すぎたり、硬い素材を使用すると腰が痛くなってくるため注意する。
【発明の効果】
【０００６】  この座布団は、お尻の沈みこむ部分を補い、背当ては、背筋を伸ばす効果があり、長時間車を運転しても比較的疲れを緩和する効果がある。また、座布団を普段腰掛けている椅子に使用してもお尻の部分だけで座る格好になり、腰の部分が伸ばしやすくなるため、姿勢がよくなり疲れを緩和する効果がある。人により座布団のみでいいと言う人のために、取り外し可能にして別売もできる。
【図面の簡単な説明】
【０００７】
【図１】  本発明の斜視図。
【図２】  本発明の実施例を示す断面図。
【発明を実施するための形態】
【０００８】  以下、本発明を実施するための形態について説明する。
お尻の部分が乗るのに適した巾４００ｍｍ〜４５０ｍｍ程度、奥行き３００ｍｍ〜３２０ｍｍ程度、厚み１５ｍｍ〜２０ｍｍ程度のあまり沈みこまない、やわらかい綿のタオルを重ねた様な素材で座布団（２）を作り、その先端にテーパー（１０）を付け、下面にスベリ止め（３）を付ける。次に、座布団の巾に合せ、高さ３６０ｍｍ程度の背当て（４）を薄く柔らかい座布団と同様な素材で作り、背当て（４）の裏側には、座布団（２）から１８０ｍｍ程度の高さの位置に、広さ１８０ｍｍ程度、厚み７ｍｍ〜１０ｍｍ程度のやわらかめのスポンジ（５）を取り付ける。この着座部（２）と背当て（４）は、マジックテープ（登録商標）又は紐状のもの等（６）で取外し自由にする。背当て付ラク座布団（１）を車のシートの背もたれ部（９）に固定するための取付け紐（７）を座布団（２）後部と背当て（４）上端に各々左右対に取付ける。
本発明は以上のような構造である。
これを実際に使用するときは、背当て付ラク座布団（１）を車のシートの着座部（８）の上で広げ、車のシートの背もたれ部（９）の上部と下部に取付け紐（７）で固定する。
これにより、お尻に沈みこむ部分を補い、背筋を伸ばす効果があるため、長時間車を運転しても比較的疲れを緩和してくれ、快適にドライブできる。また、座布団（２）を普段腰掛けている椅子に使用しても、お尻の部分だけで座る格好になり、腰の部分が伸ばしやすくなるため、姿勢がよくなり疲れを緩和する効果がある。
【符号の説明】
【０００９】１    背もたれ付ラク座布団
２    座布団
３    スベリ止め
４    背当て
５    スポンジ
６    マジックテープ又は紐状のもの
７    取付け紐
８    車のシートの着座部
９    車のシートの背もたれ部
１０  テーパー部
【図１】
2012040332.tif 000003
【図２】
2012040332.tif 000004
(57)【要約】      （修正有）【課題】大皿から食物をとる時やビン詰から食物をとる時等に、便利で且つ衛生的な箸の提供。【解決手段】食卓で大皿に盛られた食物の小分け取りや、パック詰め、ビン詰め等から食物を挟んだり、刺したりするため、箸１の端部にフォーク２を設けてフォーク付箸とした。【選択図】図１
2012040331.tif 000002
【特許請求の範囲】
【請求項１】
フォーク付箸（１）、（２）の基本となる材質を木及び竹としているが、その他樹脂、金属等を使用して、フォーク付箸を構成しても良い。
【請求項２】
取り箸用として、フォーク付箸としているが、取り箸（２）部分をフォーク以外にシンプルな丸柱棒や角柱棒としても良い。又使い勝手や使用目的に応じてスプーン、ナイフ等付けて箸を構成しても良い。
【請求項３】
フォーク付箸は、フォーク部分と箸を一体化、固定されているが、フォーク部分を取り外し式の物として構成しても良い。
【請求項４】
フォーク付箸を使い易さと転がり防止のため、箸の握る部分を四角柱棒としているが、使い勝手を考慮して丸柱棒等にしても良い。
【請求項５】
箸は二本で１対であるので、フォーク部分も二本となるが、１方をフォークとし片方をスプーン等とするような組み合わせ自由にして１対としても良い。
【請求項６】
フォーク付箸をフォーク部分と箸が一体化しているが、箸とフォーク部分の区切りに溝を設けているのはフォークに付いた水分等が箸の握る部分に流れてくるのを防ぐためのものである。又、溝としなくても段差を付ける等の方法としても良い。
【発明の詳細な説明】
【技術分野】
【０００１】本発明は、和洋折衷の食卓で大皿等から食物を小分けし取るため、取り箸の代用として、箸（１）の上部にフォーク（２）を設けたフォーク付箸に関するものである。
【背景技術】
【０００２】従来から箸（１）の上部に飾り物等を付けた箸はあるが使い勝手や利便性を重視したフォーク付箸がなかったので、食物の小分け取り等に苦慮していた。
【発明の開示】
【発明が解決しょうとする課題】
【０００３】従来からフォーク付箸がなかったので、大家族で和洋折衷の食卓を囲み、それぞれ個人が大皿等から食物をとる時、ビン詰から食物を取る時等、不自由な思いをしており、かつ衛生的にも感心できず問題点が多々あった。
【課題が解決するための手段】
【０００４】本発明は、箸（１）に大皿等から食物を小分け取るための取り箸代用のフォーク（２）を設けて、フォーク付箸とした。
【発明の効果】
【０００５】本発明は、箸（１）の上部にフォーク（２）を設けることにより、大皿等からの大小食物を小分けし取りやすくし、又パック詰めやビン詰め等からの食物も簡単に取ることができ、かつ衛生的にも申し分なく、しかも食後の箸洗いも簡単にできる。
【発明を実施するための最良の形態】
【０００６】本発明のフォーク付箸をフォーク部分（２）で大皿部分から食物を小分け取りや、パック詰め、ビン詰め等から食物を挟んで取ったり、刺したりして実施される。
【実施例】
【０００７】実施例について図面を参照すると、［図２］のとおり、フォーク付箸を手で握り実施される。
【産業上の利用可能性】
【０００８】本発明の産業上の利用可能性は自明なので省略する。
【図面の簡単な説明】
【０００９】
【図１】本発明のフォーク付箸を示す参考斜視図である。
【図２】本発明のフォーク付箸の使用状態を示す参考斜視図である。
【符号の説明】
【００１０】１．  箸
２．  フォーク
【図１】
2012040331.tif 000003
【図２】
2012040331.tif 000004
(57)【要約】      （修正有）【課題】接着前の前処理工程を施すことなく接着剤との接着性に優れた繊維強化複合材料の製造方法を提供する。【解決手段】プリプレグを積層した積層体を硬化する際に、該積層体の成形型側の面と成形型との間にポリプロピレンフィルム、またはポリエチレンテレフタレートフィルムを配置して硬化する。【選択図】なし【特許請求の範囲】
【請求項１】
プリプレグと成形型との間に、ポリプロピレンフィルムまたはポリエチレンテレフタレートフィルムを配置して硬化する、繊維強化複合材料の製造方法。
【発明の詳細な説明】
【技術分野】
【０００１】
本発明は繊維強化複合材料の製造方法に関する。さらには、接着前の前処理工程を施すことなく接着剤との接着性に優れた繊維強化複合材料の製造方法である。
【背景技術】
【０００２】
繊維強化複合材料は軽量で高強度であるため、ゴルフシャフト、テニスラケット、航空機、自動車、船舶等の部材として広く用いられている。このような繊維強化複合材料からなる部材は、必要に応じて、他の部材と接着されて用いられる。一方で、繊維強化複合材料を製造するには、強化繊維に予め樹脂を含浸させたプリプレグを積層して積層体を形成し、フッ素樹脂フィルムを離型フィルムとして積層体と成形型の間に介して硬化させる方法が一般的である。しかしながら、この方法で製造された繊維強化複合材料にそのまま接着剤を塗布しても良好な接着が得られない場合がある。これを避け、接着を良好なものとするためには、部材の被接着面に前処理を施すことが一般的である。このような接着前処理としては、サンディング、グリットブラスト、ショットブラスト等の方法が広く採用されている。
【先行技術文献】
【特許文献】
【０００３】
【特許文献１】特開２００７−２４４９８０号公報
【発明の概要】
【発明が解決しようとする課題】
【０００４】
サンディングやグリットブラスト、ショットブラスト等による前処理工程を施すと、処理条件によっては繊維強化複合材料の表面の樹脂層を過剰に除去してしまい、内部の繊維を損傷させてしまう可能性がある。そのためこれらの方法では、接着剤と繊維強化複合材料との密着性の低下や繊維強化複合材料の強度の低下を回避するための条件設定や管理が難しく煩雑である。また、これらの方法では前処理工程が入るために生産時間が長くなったり、前処理工程用の設備が必要となったりするため、生産コストを上昇させる要因ともなっていた。
【０００５】
本発明は、このような事情に鑑みてなされたものであって、接着前の前処理工程を施すことなく接着剤との接着性に優れた繊維強化複合材料の製造方法を提供することを課題とするものである。
【課題を解決するための手段】
【０００６】
本発明者は鋭意検討の結果、本発明に到達した。すなわち、プリプレグを積層した積層体を硬化する際に、該積層体の成形型側の面と成形型との間にポリプロピレンフィルム、またはポリエチレンテレフタレートフィルムを配置して硬化する繊維強化複合材料の製造方法である。
【発明の効果】
【０００７】
本発明によれば、接着前の前処理工程を施すことなく接着剤との接着性に優れた繊維強化複合材料を製造できる。
【発明を実施するための形態】
【０００８】
本発明では、プリプレグを積層した積層体は、該積層体の成形型側の面と成形型との間にポリプロピレンフィルムまたはポリエチレンテレフタレートフィルムを介して硬化される。フィルムの厚みに特段の制限はない。取扱いやすい厚みを適宜選択できる。ポリエチレンテレフタレートフィルムは、離型剤処理されているものが成形後の離型性が良好なため好ましい。ポリプロピレンフィルムは無延伸フィルムが成形後の離型性が良好なため好ましい。ポリプロピレンフィルムはそれ自体がプリプレグとの離型性を有する。一方、ポリエチレンテレフタレートフィルムは、その表面に施した離型処理が成形後に成形品表面に移りにくい。ポリプロピレンフィルムと好ましくは離型処理されたポリエチレンテレフタレートフィルムとは同様に使用できる。また、本発明は、プリプレグの種類、成形型の素材及び形状、成形温度条件、成形圧力条件に制限されない。
以下、実施例に基づき本発明を説明するが、これに制限されるものではない。
【実施例】
【０００９】
〔ポリプロピレンフィルム〕
ポリプロピレンフィルムとして以下のフィルムを用意した。
フタムラ化学株式会社製  ＦＡ  番手４０  （無延伸ポリプレピレンフィルム）
〔フッ素樹脂フィルム〕
フッ素樹脂フィルムとして以下のフィルムを用意した。
旭硝子株式会社製  アフレックス  ２５ＭＷ１２５０ＮＴ（厚み  ２５μｍ）
【００１０】
＜実施例１＞
金属平板の上にポリプロピレンフィルムを一枚配置し、その上に１０ｃｍ四方に切り出したプリプレグ（三菱レイヨン株式会社製一方向炭素繊維プリプレグ  ＴＲ３５０Ｇ１２５；目付１２５ｇ／ｍ２）を下から順に繊維長手方向が［０°／９０°／９０°／０°］となるように４層積層した。次いで、その上にポリプロピレンフィルムを一枚配置し、その上に金属平板を配置した。次いで、ブリーザーとしてエアーテック社製ポリエステル不織布Ａ３０００でこれらを覆い、真空引きのための引き口を配置した。これらを上面からナイロンフィルムでバッグし、最下面の金属平板とナイロンフィルムとをシーラントで留めた。引き口はナイロンフィルムを貫通させた。これらをオートクレーブにて昇温速度２℃／分で１３０℃まで昇温後９０分間保持し、釜内圧力０．６ＭＰａ、バッグ内圧力８０ｋＰａ以下で加熱加圧して繊維強化複合材料の平板を作製した。
【００１１】
この繊維強化複合材料の表面をアセトンで脱脂したものに、ＭＭＡ系接着剤（アイ・ティー・ダブリュー・インダストリー社製プレクサスＭＡ３１０）を、一方の辺から略平行にかつ平板の中央を含むように長さ約１０ｃｍ、幅約１５ｍｍ、厚み５０μｍ塗布し、常温で硬化させた。次いで、平板の中央部において、セロテープ（ニチバン株式会社製ＣＴ４０５ＡＰ−２４；幅２４ｍｍ）を平板上で硬化させた接着剤の幅方向とセロテープの幅方向とが略９０°になるように、かつ接着剤の幅以上の長さとなるよう貼り付けた。貼り付けたセロテープを、平板の対角線方向（略４５°）に引張りながら引き剥がし、硬化させた接着剤の剥がれた状態を観察した。結果を表１に示す。
【００１２】
＜実施例２＞
プリプレグを三菱レイヨン株式会社製一方向炭素繊維プリプレグＴＲ３８０Ｇ１００（目付１２５ｇ／ｍ２）に変更した以外は実施例１と同様に行った。結果を表１に示す。
【００１３】
＜比較例１＞
プリプレグと成形型との間に配置するフィルムをフッ素樹脂フィルムに変更した以外は実施例１同様に行った。結果を表１に示す。
【００１４】
＜比較例２＞
プリプレグと成形型との間に配置するフィルムをフッ素樹脂フィルムに変更した以外は実施例２同様に行った。結果を表１に示す。
【００１５】
【表１】
2012040689.tif 000002
(57)【要約】【課題】  切替手段としての複数のバルブを不要にして、構造が簡単な蒸気加熱装置を得ること。【解決手段】  負圧正圧切換弁２２を介在して反応釜２０のジャケット部２５と、正圧流体圧送手段３６及びエゼクタ式真空ポンプ２４を接続する。負圧正圧切換弁２２は、流体入口２と負圧流体出口４と正圧流体出口５を有する。流体入口２から負圧流体が流入してくると負圧流体出口４からエゼクタ式真空ポンプ２４へ排出する。一方、流体入口２から正圧流体が流入してくると正圧流体出口５から正圧流体圧送手段３６へ排出する。【選択図】図１
2012002406.tif 000002
【特許請求の範囲】
【請求項１】
熱交換器の入口側へ圧力調整弁を介して加熱用の蒸気供給管を接続し、熱交換器の出口側に切換手段を介してエゼクタ式真空ポンプと大気圧又は大気圧以上の正圧排出管とを接続したものにおいて、切換手段を、温度応動部と弁部とで構成して、弁部へ負圧流体が流入してくると負圧流体出口から排出し、一方、弁部へ正圧流体が流入してくると正圧流体出口から排出する負圧正圧切換弁とすることを特徴とする蒸気加熱装置。
【発明の詳細な説明】
【技術分野】
【０００１】
本発明は、大気圧又は大気圧以上の正圧蒸気で被加熱物を加熱したり、あるいは、大気圧以下の負圧蒸気で加熱する蒸気加熱装置に関し、特に、加熱装置の出口側で、正圧蒸気の場合には正圧流体圧送手段へと切り換え、一方、負圧蒸気の場合にはエゼクタ式真空ポンプへと切り換えるものに関する。
【背景技術】
【０００２】
従来の蒸気加熱装置としては、熱交換器の二次側すなわち出口側に切替手段を介在して、エゼクタ式真空ポンプとスチームトラップを設けたもので、複数のバルブで構成する切替手段によって、真空ポンプとスチームトラップとを切り換えて使用するものである。
【先行技術文献】
【特許文献】
【０００３】
【特許文献１】特許第２５８９６０２号公報
【発明の概要】
【発明が解決しようとする課題】
【０００４】
上記従来の蒸気加熱装置では、切替手段として複数のバルブを用いて切り換える必要があり、加熱装置が複雑化してしまう問題があった。
【０００５】
従って本発明が解決しようとする課題は、切替手段としての複数のバルブを不要にして、構造がシンプルな蒸気加熱装置を得ることである。
【課題を解決するための手段】
【０００６】
上記の課題を解決するための手段は、熱交換器の入口側へ圧力調整弁を介して加熱用の蒸気供給管を接続し、熱交換器の出口側に切換手段を介してエゼクタ式真空ポンプと大気圧又は大気圧以上の正圧排出管とを接続したものにおいて、切換手段を、温度応動部と弁部とで構成して、弁部へ負圧流体が流入してくると負圧流体出口から排出し、一方、弁部へ正圧流体が流入してくると正圧流体出口から排出する負圧正圧切換弁とするものである。
【発明の効果】
【０００７】
本発明によれば、正圧蒸気と負圧蒸気の切替手段としての複数のバルブを不要にして、構造が簡単な蒸気加熱装置とすることができる。
【図面の簡単な説明】
【０００８】
【図１】本発明の蒸気加熱装置の実施例を示す構成図。
【発明を実施するための形態】
【０００９】
本発明は、切換手段を温度応動部と弁部とで構成したことによって、弁部へ負圧流体が流入してくると負圧流体出口からエゼクタ式真空ポンプへ自動的に排出され、一方、弁部へ正圧流体が流入してくると正圧流体出口から正圧流体圧送手段へ自動的に排出される。
【実施例】
【００１０】
本実施例においては、熱交換器として反応釜２０を用いた例を示す。図１において、反応釜２０と、加熱用蒸気供給管２１と、負圧正圧切換弁２２と、正圧流体圧送手段３６、及び、エゼクタ式真空ポンプ２４とで蒸気加熱装置を構成する。
【００１１】
反応釜２０のほぼ全周にジャケット部２５を取り付けて、このジャケット部２５へ蒸気供給管２１を接続する。蒸気供給管２１には供給する蒸気の圧力すなわち温度を任意に制御するための圧力調整弁２６を介在する。反応釜２０の内部に収容した図示しない被加熱物をジャケット部２５へ供給する蒸気によって加熱するものである。
【００１２】
ジャケット部２５下端に連通管２７を接続して負圧正圧切換弁２２の流体入口２と連通すると共に、負圧正圧切換弁２２の負圧流体出口４とエゼクタ式真空ポンプ２４を連通管２８で連通し、正圧流体出口５に正圧排出管２３を介して正圧流体圧送手段３６と接続する。
【００１３】
負圧正圧切換弁２２は、内部に図示しない温度応動部を有しており、弁部へ負圧流体が流入してくると負圧流体出口４からエゼクタ式真空ポンプ２４へ自動的に排出され、一方、弁部へ正圧流体が流入してくると正圧流体出口５から正圧流体圧送手段３６へ自動的に排出される。
【００１４】
正圧排出管２３には、蒸気が熱を奪われて凝縮した復水だけを自動的に出口側へ排出するスチームトラップ２９と、トラップ２９をバイパスするバイパス弁３０を接続する。正圧流体圧送手段３６は、エゼクタ３７と循環ポンプ３８及び両者を連通する連通管３９とで構成する。連通管３９を分岐して余剰流体を系外へ排除する余剰流体排除管４０を接続する。
【００１５】
エゼクタ式真空ポンプ２４は、エゼクタ３１とタンク３２と循環ポンプ３３で構成し、タンク３２には冷却流体補給管３４を接続し、循環ポンプ３３とエゼクタ３１の間に余剰流体排除管３５を接続する。
【００１６】
蒸気供給管２１と圧力調整弁２６から大気圧以上の正圧蒸気をジャケット部２５へ供給して反応釜２０を加熱する場合、加熱によって生じた復水と蒸気の混合流体は、連通管２７から負圧正圧切換弁２２へ至り、この負圧正圧切換弁２２の自動切り換えによって正圧排出管２３側へ流下して、スチームトラップ２９を介して復水だけが正圧流体圧送手段３６へ吸引される。
【００１７】
一方、圧力調整弁２６から大気圧以下の負圧蒸気をジャケット部２５へ供給して加熱する場合は、負圧正圧切換弁２２が自動的に切り換わることによって、ジャケット部２５で発生した負圧復水と一部の負圧蒸気の混合流体はエゼクタ式真空ポンプ２４のエゼクタ３１に吸引される。
【産業上の利用可能性】
【００１８】
本発明は、一つの加熱装置で、大気圧以上の正圧蒸気と、大気圧以下の負圧蒸気を交互に使用する蒸気加熱装置に利用することができる。
【符号の説明】
【００１９】
２ 流体入口
４ 負圧流体出口
５ 正圧流体出口
２０ 反応釜
２１   蒸気供給管
２２   負圧正圧切換弁
２３   正圧排出管
２４   エゼクタ式真空ポンプ
２５   ジャケット部
２６   圧力調整弁
３６   正圧流体圧送手段
【図１】
2012002406.tif 000003